(57)【特許請求の範囲】
【請求項１】
ダム等の貯水池に堆積した土砂を取り上げ、空気室と土砂収納室とを有する空気封入型で温水溶解タイプの浮力を有するカプセルに入れて河川に放流し、河川を流下する前記カプセルを河口または所定地点で解体することを特徴としたダム堆積土砂の搬送方法。
【請求項２】
ダム等の貯水池に堆積した土砂を取り上げ、空気室と土砂収納室とを有する空気封入型で可撓性があり、内部の空気を除去すれば扁平となる浮力を有するカプセルに入れて河川に放流し、河川を流下する前記カプセルを河口または所定地点で回収することを特徴としたダム堆積土砂の搬送方法。
【発明の詳細な説明】
【０００１】
【発明の属する技術分野】
本発明は、ダム等の貯水池の堆積土砂の搬送方法に関するものである。
【０００２】
【従来の技術】
貯水池の堆砂は古くて新しい課題である。ダム等の貯水池には上流から土砂（泥土）が流れ込み、これが堆砂すると、上流側の河床の上昇によって渇水が長期化しやすくなり、有効貯水容量が減少することによって、治水、利水機能が低下し、また、取水口などの付帯設備の機能が低下する。
【０００３】
しかも、地下水位が上昇することによって排水不良地域が拡大し、地山崩壊を招く。また、濁水が長期化することにより、観光、水産などの利用価値が低下し、貯水池の形態や生態系が急激に変化することにより環境を悪化する。
【０００４】
下流側の問題として、流砂を遮断してしまうことにより河床が低下し、河岸が洗掘され、また、公園、水路などの利用価値が低下する。これに加えて、河床の堆積物の有効な細粒分が流失してしまい、海岸の浸蝕現象が増加する。
【０００５】
このようにダムにおける堆砂の発生はその上流、下流ともに大きな影響を及ぼすものであり、従来は、浚渫船によって湖内で採取した土砂を陸揚げし、それをダンプやカテナリーコンベア等でダムから河川下流まで運搬するような方法が採用されている。
【０００６】
しかしダンプ輸送の場合は、運搬物の粉塵問題、騒音問題、大量のＣＯ２の排出問題がある。また、カテナリーコンベア輸送の場合は、多額費用による設備整備が要求され、さらに、大輸送エネルギーの大量消費が問題となる。
【０００７】
これに対して、発生した土砂を搬出するのに空気圧で搬送する方法があり、これは被搬送体の前後の圧力差による推進力を利用するもので、被搬送体の下流側を減圧する負圧による吸引方式と、被搬送体の上流側を加圧する圧縮空気による圧送方法がある。また、土砂をそのまま搬送したり、土砂を積載したカプセルを搬送するなどしている。
【０００８】
特開平６−４９８６３号公報では、土砂等を空気圧により搬送管内を搬送するに際し、掘削された土砂等の中にシリンダ状の円筒部材を挿入するなどして、土砂等をポリエチレン等の高分子フィルムからなる袋の中に充填し、この袋の開口を密封して土砂等をパック化し、このパックを圧縮空気あるいは空気吸引により搬送管内を搬送し、搬送管から排出されるパックの袋を破って袋と土砂等を分離し、土砂等のみをレシーバータンクに回収するようにした。
【０００９】
このように掘削した土砂等を袋に充填してパック化するため、土砂の性状に影響されることなく、管路の閉塞等のトラブルを生ずること無く搬出することができる。
【００１０】
【発明が解決しようとする課題】
しかしながら、前記方法では土砂等を空気圧により搬送するための搬送管設備は必要となり、設備的には依然大掛かりなものが必要となる。
【００１１】
本発明の目的は前記従来例の不都合を解消し、大掛かりな設備を持たずとも、また、輸送について人為的なエネルギーを加えることなく、環境にやさしく、しかも、効率的に土砂を輸送できるダム等の堆積土砂の搬送方法を提供することにある。
【００１２】
【課題を解決するための手段】
本発明は前記目的を達成するため、ダム等の貯水池に堆積した土砂を取り上げ、空気室と土砂収納室とを有する空気封入型で温水溶解タイプの浮力を有するカプセルに入れて河川に放流し、河川を流下する前記カプセルを河口または所定地点で解体すること、または、ダム等の貯水池に堆積した土砂を取り上げ、空気室と土砂収納室とを有する空気封入型で可撓性があり、内部の空気を除去すれば扁平となる浮力を有するカプセルに入れて河川に放流し、河川を流下する前記カプセルを河口または所定地点で回収することを要旨とするものである。
【００１３】
請求項１記載の本発明によれば、河川の自然の流れを利用して土砂を搬送することができ、ＣＯ２、騒音および粉塵の排出はなく、クリーンに輸送できる。また、輸送中、河川水中のＣＯＤ（化学的酸素消費量）と濁度の上昇は発生せず、魚の餌となる藻の繁殖に支障を与えない。
【００１４】
また、カプセルは空気封入型のものとすることで、空気を内部に閉じ込めることで容易に浮力をえることができる。
【００１５】
さらに、カプセルは高温水によって溶融され、自然に綴じ込まれた土砂が放出することになる。しかもカプセルの回収の必要がない。
【００１６】
請求項２記載の本発明によれば、河川の自然の流れを利用して土砂を搬送することができ、ＣＯ２、騒音および粉塵の排出はなく、クリーンに輸送できる。また、輸送中、河川水中のＣＯＤ（化学的酸素消費量）と濁度の上昇は発生せず、魚の餌となる藻の繁殖に支障を与えない。
【００１７】
また、カプセルは空気封入型のものとすることで、空気を内部に閉じ込めることで容易に浮力をえることができる。そして、カプセルは人為的に回収と開封が必要であるが、繰り返し使用可能で、カプセルから河川の負荷はない。
【００１８】
【発明の実施の形態】
以下、図面について本発明の実施形態を詳細に説明する。図１は本発明のダム等の堆積土砂の搬送方法の実施形態を示す説明図で、図中１は貯水池としてダムであり、２はそこに堆砂した土砂（泥土）を示す。この土砂２は特にシルト分の堆積土である。
【００１９】
形状は球形、円筒形、三方塊形やラクビーボール状等で、空気室３と土砂収容室４とを設け、この空気室３の存在で浮力を有するカプセル５を準備し、このカプセル５内に前記土砂２を取り上げて封入し、ダム１から流れる河川６に放流する。
【００２０】
カプセル５には溶解型と再利用型とがあり、溶解型は、水温３０℃以上の水温で完全に溶解されて生分解性をもつフィルム（完全溶解必要時間は約９０分）である水溶性ビニロンフィルムから作製されるフィルムである。
【００２１】
再利用型は、ポリマー、シリコンまたは他の強化ゴム樹脂等から成型される可撓性があるカプセルで、弾力性があり、空気等の内容物を取り除けば扁平となるものである。
【００２２】
なお、カプセル５のサイズや形状は放流する河川形態の状況、流速等の条件に応じて定めることができる。また、カプセル５は土砂を運ぶ途中、岩や他の構造物等による衝撃に耐えられる強度をもつ。
【００２３】
ダム１の貯水池の水底に堆積した土砂２を採取する方法は、浚渫船を使用する方法、パイプで吸引する方法、コンベアで運搬する方法、それらの組み合わせ方法など従来の方法を広く利用することができる。
【００２４】
前記カプセル５は空気室３と土砂収容室４とは連通して一室となったものでもよく、土砂２を収納する掘削土ホッパーと、土砂２をカプセル５に充填してパック化する土砂充填装置を配設して空気とともに封入するものでもよい。
【００２５】
河川を流下するカプセル５は、河口または所定地点で、 解体または回収する。前記溶解型のカプセル５では高温水によりカプセル膜が溶解され、自然に綴じ込まれた土砂を放出する。なお、生分解性を有するものなのでクリーンであり、魚の餌となる藻等の繁殖などには影響を与えない。
【００２６】
再利用型のカプセル５では、開封後再び上流に戻し、繰り返して使用するが、上流に戻す際にはカプセル５の空気室３の空気を抜いて平らに畳む。
【００２７】
さらに、カプセル５から放出する土砂２は海浜８や干潟９への供給も可能である。
【００２８】
【発明の効果】
以上述べたように本発明のダム等の堆積土砂の搬送方法は、大掛かりな設備を持たずとも、また、輸送について人為的なエネルギーを加えることなく、環境にやさしく、しかも、効率的に土砂を輸送できるものである。
【図面の簡単な説明】
【図１】  本発明のダム等の堆積土砂の搬送方法の実施形態を示す説明図である。
【符号の説明】
１…ダム                        ２…土砂
３…空気室                      ４…土砂収容室
５…カプセル                    ６…河川
７…河口                        ８…海浜
９…干潟
【図１】
0004018444.tif 000002